(57)【要約】【課題】  小幅サイズの転写紙を連続定着した後、大幅サイズの転写紙を用いて定着を行っても定着不良を起こさない画像形成装置を提供する。【解決手段】  装置本体外面に設けた吸気ファン９３によって吸気した空気流を吸気ダクト９２によって加熱ローラ８１両側部の小幅サイズ転写紙が通紙しない非通紙域の冷却を行い、冷却部を行った後の排気は合流して排気ファン９５を設けた排気ダクト９７によって装置本体外面に設けた排気口９６から排気される構成とする。【選択図】        図３
2005077792.tif 000002
【特許請求の範囲】
【請求項１】
ヒータを内蔵した加熱ローラと、該加熱ローラに圧接する加圧ローラとの圧接部に未定着トナー像を担持する転写紙を通過させて該トナー像を転写紙上に定着させる定着器を設けた画像形成装置において、
前記加熱ローラの小幅サイズの通紙域外の非通紙域の冷却を行う吸気ファンと排気ファンとを用いた冷却手段を有していて、
制御部は前記加熱ローラの非通紙域の温度検知を行う温度検知センサが所定温度以上に上昇したと検知したときは前記冷却手段を動作するように制御することを特徴とする画像形成装置。
【請求項２】
ヒータを内蔵した加熱ローラと、該加熱ローラに圧接する加圧ローラとの圧接部に未定着トナー像を担持する転写紙を通過させて該トナー像を転写紙上に定着させる定着器を設けた画像形成装置において、
前記加熱ローラの小幅サイズの通紙域外の非通紙域の冷却を行う吸気ファンと排気ファンとを用いた冷却手段を有していて、
制御部は小幅サイズの転写紙を選択したプリントモードが設定されたのを検知すると前記冷却手段を動作するよう制御することを特徴とする画像形成装置。
【請求項３】
ヒータを内蔵した加熱ローラと、該加熱ローラに圧接する加圧ローラとの圧接部に未定着トナー像を担持する転写紙を通過させて該トナー像を転写紙上に定着させる定着器を設けた画像形成装置において、
前記加熱ローラの小幅サイズの通紙域外の非通紙域の冷却を行う吸気ファンと排気ファンとを用いた冷却手段を有していて、
前記吸気ファン及び前記排気ファンは装置本体に取り付けられ、前記定着器とはダクトで連結されていることを特徴とする画像形成装置。
【請求項４】
吸気ダクトは装置本体側面又は前面に吸気口を設けており、排気ダクトは装置背面に排気口を設けていることを特徴とする請求項３に記載の画像形成装置。
【請求項５】
前記吸気ダクトは定着器側ダクトと連結し、ローラ両端に分岐して、風を吹き付ける様構成し、前記排気ダクトは定着器内でローラ両端から、装置背面側に向けて合流し、一体化した後、装置本体側排気ダクトに連結し、機外へ排気される構成としたことを特徴とする請求項４に記載の画像形成装置。
【請求項６】
前記ダクトは、画像形成部とは、定着ローラを挟んだ逆側に構成していることを特徴とする請求項３〜５の何れか１項に記載の画像形成装置。
【請求項７】
前記ダクトは、通紙センターから両端へそれぞれ１１０ｍｍの位置より端部よりに配置されていることを特徴とする請求項３〜６の何れか１項に記載の画像形成装置。
【請求項８】
ヒータを内蔵した加熱ローラと、該加熱ローラに圧接する加圧ローラとの圧接部に未定着トナー像を担持する転写紙を通過させて該トナー像を転写紙上に定着させる定着器を設けた画像形成装置において、
前記加熱ローラの小幅サイズの通紙域外の非通紙域の冷却を行う吸気ファンと排気ファンとを用いた冷却手段を有していて、
前記加熱ローラに近接した吹き付け用吸気ダクトと排気用ダクトを備えていることを特徴とする画像形成装置。
【請求項９】
前記ダクトは、ローラ長手方向に吹き付け口と排気口の開口を設けていることを特徴とする請求項８に記載の画像形成装置。
【請求項１０】
前記ダクトは、ローラ周方向に吹き付け口と排気口の開口を設けていることを特徴とする請求項９に記載の画像形成装置。
【請求項１１】
前記ダクトは吹き付けダクトと排気ダクトが一体的に構成されていることを特徴とする請求項８〜１０の何れか１項に記載の画像形成装置。
【請求項１２】
ヒータを内蔵した加熱ローラと、該加熱ローラに圧接する加圧ローラとの圧接部に未定着トナー像を担持する転写紙を通過させて該トナー像を転写紙上に定着させる定着器を設けた画像形成装置において、
前記定着器には転写紙のローラからの分離を行う分離爪とジャム処理用のジャム処理開閉部を有し、前記加熱ローラにはローラ表面を清掃するローラ清掃部と表面温度を検知する温度検知センサが設けられ、前記加熱ローラの小幅サイズの通紙域外の非通紙域の冷却を行う吸気ファンと排気ファンとを用いダクトによって送風される冷却手段を有していて、
前記ダクトは前記分離爪と前記ローラ清掃部との間に配置されていることを特徴とする画像形成装置。
【請求項１３】
前記ダクトは、前記加熱ローラを挟んで、温度検知センサの略対面に設けられていることを特徴とする請求項１２に記載の画像形成装置。
【請求項１４】
前記ダクトは、前記加熱ローラ周方向沿いにおいて、温度検知センサとの間にローラ清掃部が配置され、また周方向逆には、前記加圧ローラが配置されていることを特徴とする請求項１２又は１３に記載の画像形成装置。
【請求項１５】
前記ダクトは前記ジャム処理開閉部と一体に構成されており、ジャム処理時には、ジャム処理開閉部と共に退避位置に移動することを特徴とする請求項１２〜１４の何れか１項に記載の画像形成装置。
【発明の詳細な説明】
【技術分野】
【０００１】
本発明は、複写機、プリンタなどの電子写真プロセスを用いる画像形成装置に係わり、特にトナー画像の定着を行う定着器に冷却機構を設けた画像形成装置に関する。
【背景技術】
【０００２】
画像形成装置においては、転写工程において転写紙上にトナー画像の転写を行い、トナー画像を保持した転写紙は、圧接関係にある加熱ローラと加圧ローラとの間で熱と圧力を受け、トナー画像は転写紙上に溶着して定着が行われる。定着に際しては加熱ローラから通紙する転写紙側の熱量が移動する。従って連続プリント時にローラ内部から加熱して通紙部分の加熱ローラ表面が定着を可能とする所定温度に維持するように制御がなされている。
【０００３】
小幅サイズ転写紙を連続通紙すると、非通紙域である加熱ローラ端部は熱が奪われることがないので、ローラ端部は所定温度以上に温度上昇してしまう。ローラ端部が規格温度以上に加熱した加熱ローラで大幅サイズ転写紙の定着を行うと、トナーフィルミングや転写紙のローラ巻き付き等の事故が生じることとなる。
【０００４】
ローラ端部が所定温度を超えて高温となった加熱ローラに対する対策として、例えば加熱ローラ内に発熱分布が異なる複数のランプ発熱体を設け、ランプの点灯制御を行うことでローラ両端部への熱供給量への熱供給量を少なくしてローラ両端部が過熱の状態となることを防止する技術が提案されている。（例えば特許文献１参照。）また、誘導加熱方法を用いた加熱ローラについて、ローラの温度検知を行ってローラ両端部の温度が中央部の温度に対して異常の高温になったときは、冷却ファンによって冷却してローラ中央部とローラ両端部とが一様温度とが一様温度とする技術が提案されている。（例えば特許文献２参照。）
【特許文献１】特開平９−２４４４６５号公報
【特許文献２】特開２００２−１８９３８０号公報
【発明の開示】
【発明が解決しようとする課題】
【０００５】
小幅サイズ転写紙の連続定着を行った際、加熱ローラの非通紙域のローラ端部にファンによって風を吹き付けてローラ端部の温度を低下させようとすることは従来から行われた。しかし従来例では次の問題点を有していた。
１．高温のローラに吹き付けた風が、定着器内外に放出されるため、温度上昇に弱い画像    形成部にも高温の空気が到達し、現像剤の温度上昇を引き起こす。
２．吹き付けた風が、定着器内にある非接触式のローラ温度検知センサ周辺に到達し、セ    ンサの温度検知精度を損ねて、ローラ温度制御が狂う。
３．ローラに吹き付ける風により、定着器内の気圧が上昇するため、ファンの吹き付け効    率の低下が起こり、必要風量を確保するために、より静圧の高い大型のファンを使用    しなければならず、スペースの増大、コストの増加を招く。
４．ダクトがローラ周辺を覆うため、ジャム処理スペースを充分に確保できない。
５．吹き付けファンの冷却力には限界があるため、機械が高速化すると冷却スピードが追    いつかず、非通紙部のローラ温度が規格温度を超えてしまう（高速機に対応できない    ）。
【０００６】
本発明は冷風を吹き付けるようにした冷却手段を用い、上記の問題点を解消して、加熱ローラの非通紙域が過熱状態となるのを回避した画像形成装置を提供することを目的とする。
【課題を解決するための手段】
【０００７】
前記の課題を解決し、かつ目的を達成するために本発明は以下のように構成している。
【０００８】
請求項１記載の発明は、「ヒータを内蔵した加熱ローラと、該加熱ローラに圧接する加圧ローラとの圧接部に未定着トナー像を担持する転写紙を通過させて該トナー像を転写紙上に定着させる定着器を設けた画像形成装置において、
前記加熱ローラの小幅サイズの通紙域外の非通紙域の冷却を行う吸気ファンと排気ファンとを用いた冷却手段を有していて、
制御部は前記加熱ローラの非通紙域の温度検知を行う温度検知センサが所定温度以上に上昇したと検知したときは前記冷却手段を動作するように制御することを特徴とする画像形成装置。」である。
【０００９】
請求項２記載の発明は、「ヒータを内蔵した加熱ローラと、該加熱ローラに圧接する加圧ローラとの圧接部に未定着トナー像を担持する転写紙を通過させて該トナー像を転写紙上に定着させる定着器を設けた画像形成装置において、
前記加熱ローラの小幅サイズの通紙域外の非通紙域の冷却を行う吸気ファンと排気ファンとを用いた冷却手段を有していて、
制御部は小幅サイズの転写紙を選択したプリントモードが設定されたのを検知すると前記冷却手段を動作するように制御することを特徴とする画像形成装置。」である。
【００１０】
請求項３記載の発明は、「ヒータを内蔵した加熱ローラと、該加熱ローラに圧接する加圧ローラとの圧接部に未定着トナー像を担持する転写紙を通過させて該トナー像を転写紙上に定着させる定着器を設けた画像形成装置において、
前記加熱ローラの小幅サイズの通紙域外の非通紙域の冷却を行う吸気ファンと排気ファンとを用いた冷却手段を有していて、前記吸気ファン及び前記排気ファンは装置本体に取り付けられ、前記定着器とはダクトで連結されていることを特徴とする画像形成装置。」である。
【００１１】
請求項４記載の発明は、「吸気ダクトは装置本体側面又は前面に吸気口を設けており、排気ダクトは装置背面に排気口を設けていることを特徴とする請求項３に記載の画像形成装置。」である。
【００１２】
請求項５記載の発明は、「前記吸気ダクトは定着器側ダクトと連結し、ローラ両端に分岐して、風を吹き付ける様構成し、前記排気ダクトは定着器内でローラ両端から、装置背面側に向けて合流し、一体化した後、装置本体側排気ダクトに連結し、機外へ排気される構成としたことを特徴とする請求項４に記載の画像形成装置。」である。
【００１３】
請求項６記載の発明は、「前記ダクトは、画像形成部とは、定着ローラを挟んだ逆側に構成していることを特徴とする請求項３〜５の何れか１項に記載の画像形成装置。」である。
【００１４】
請求項７記載の発明は、「前記ダクトは、通紙センターから両端へそれぞれ１１０ｍｍの位置より端部よりに配置されていることを特徴とする請求項３〜６の何れか１項に記載の画像形成装置。」である。
【００１５】
請求項８記載の発明は、「ヒータを内蔵した加熱ローラと、該加熱ローラに圧接する加圧ローラとの圧接部に未定着トナー像を担持する転写紙を通過させて該トナー像を転写紙上に定着させる定着器を設けた画像形成装置において、
前記加熱ローラの小幅サイズの通紙域外の非通紙域の冷却を行う吸気ファンと排気ファンとを用いた冷却手段を有していて、前記加熱ローラに近接した吹き付け用吸気ダクトと排気用ダクトを備えていることを特徴とする画像形成装置。」である。
【００１６】
請求項９記載の発明は、「前記ダクトは、ローラ長手方向に吹き付け口と排気口の開口を設けていることを特徴とする請求項８に記載の画像形成装置。」である。
【００１７】
請求項１０記載の発明は、「前記ダクトは、ローラ周方向に吹き付け口と排気口の開口を設けていることを特徴とする請求項９に記載の画像形成装置。」である。
【００１８】
請求項１１記載の発明は、「前記ダクトは吹き付けダクトと排気ダクトが一体的に構成されていることを特徴とする請求項８〜１０の何れか１項に記載の画像形成装置。」である。
【００１９】
請求項１２記載の発明は、「ヒータを内蔵した加熱ローラと、該加熱ローラに圧接する加圧ローラとの圧接部に未定着トナー像を担持する転写紙を通過させて該トナー像を転写紙上に定着させる定着器を設けた画像形成装置において、
前記定着器には転写紙のローラからの分離を行う分離爪とジャム処理用のジャム処理開閉部を有し、前記加熱ローラにはローラ表面を清掃するローラ清掃部と表面温度を検知する温度検知センサが設けられ、前記加熱ローラの小幅サイズの通紙域外の非通紙域の冷却を行う吸気ファンと排気ファンとを用いダクトによって送風される冷却手段を有していて、
前記ダクトは前記分離爪と前記ローラ清掃部との間に配置されていることを特徴とする画像形成装置。」である。
【００２０】
請求項１３記載の発明は、「前記ダクトは、前記加熱ローラを挟んで温度検知センサの略対面に設けられていることを特徴とする請求項１２に記載の画像形成装置。」である。
【００２１】
請求項１４記載の発明は、「前記ダクトは、前記加熱ローラ周方向沿いにおいて、温度検知センサとの間にローラ清掃部が配置され、また周方向逆には、前記加圧ローラが配置されていることを特徴とする請求項１２又は１３に記載の画像形成装置。」である。
【００２２】
請求項１５記載の発明は、「前記ダクトは前記ジャム処理開閉部と一体に構成されており、ジャム処理時には、ジャム処理開閉部と共に退避位置に移動することを特徴とする請求項１２〜１４の何れか１項に記載の画像形成装置。」である。
【発明の効果】
【００２３】
請求項１記載の発明によれば、加熱ローラの非通紙域の温度が予め設定された所定の温度以上に上昇したと検知すると直ちにファンが作動して冷却が開始されるので、何ら問題が生じることなく小幅サイズ紙の定着に続いて大幅サイズ紙の定着が行われる。
【００２４】
請求項２記載の発明によれば、加熱ローラの非通紙域の温度が過熱状態になると予期された時点からファンを作動して冷却開始されるので、非通紙域の温度が所定温度まで上昇することはないので、小幅サイズ紙に引き続いて行われる大幅サイズ紙についても安全した定着が行われる。
【００２５】
請求項３〜７記載の発明によれば、吸気ダクト・排気ダクトは装置本体外面に連通しており、機内より温度の低い外気を吸引でき、また温度上昇した排気は装置本体外に排出できるように構成しているので、効率よくローラを冷やすことができ、排気により機内の温度上昇を招くことを防止できる。また、吸気ダクト・排気ダクトには、それぞれ吸気ファンを設け、吸気ファンで吹き付けた風を排気ファンで排出する構成となっているので、定着器内の気圧上昇を招くことなく、効率低下しないので、小型ファンの使用が可能となる。
【００２６】
請求項８〜１１記載の発明によれば、加熱ローラに近接した吸気経路ダクトと排気経路ダクトを設けて、ローラに吹き付けた風が定着器内外に放出されることなく、排気ダクトから排出されるように構成しているので、画像形成部の温度上昇を招くことがなく、温度検知センサにも影響を与えない。
【００２７】
請求項１２〜１５記載の発明によれば、温度検知センサとダクトは、加熱ローラを挟んで対面に構成されており、温度検知センサとダクトの間には、ローラ周方向にローラ清掃部が配置されていて、その対面には前記ローラ当接した加圧ローラが配置されているので、ダクトから若干空気が漏れていても、温度検知センサには影響を与えない。
【００２８】
また、ダクトがジャム処理開閉部と一体になっているので、ジャム処理時にはダクトは退避位置に移動でき、ローラ周囲に充分なジャム処理スペースを確保できる。
【発明を実施するための最良の形態】
【００２９】
本発明の実施の形態の一例を図面に従って説明する。なお、本欄の記載は請求項の技術範囲や用語の意義を限定するものではない。
【００３０】
図１は本発明の冷却手段を有した定着器を備えた画像形成装置の全体構成を示す模式図である。
【００３１】
図１において、自動原稿搬送装置２０ではその原稿給紙台上に載置された原稿を１枚ずつ読取位置に搬送して読取後の原稿を原稿排紙皿に集積する。
【００３２】
原稿読取部２１は原稿の画像を読み取ってデジタル画像データを生成する。
【００３３】
画像形成部２２は電子写真方式により記録紙に画像を形成する。
【００３４】
画像形成部２２において、ドラム状の感光体１の周囲に帯電装置２、露光装置３、現像装置４、転写装置５、分離装置６及びクリーニング装置７が配置される。画像形成部２２の下方には、複数のサイズを異にした記録紙を収納した記録紙収納部２４Ａ，２４Ｂ，２４Ｃを備えた給紙部２３が設けられ記録紙を画像形成部２２に給紙する。１０は手差し給紙部である。給紙部２３又は手差し給紙部１０から給紙された記録紙はレジストローラ１１により感光体１と転写装置５の間に供給され、搬送ベルト１２によって搬送され、後に説明する定着器８で定着処理されて排紙皿１３に排紙される。
【００３５】
感光体１の時計方向の回転に対応して、帯電装置２による帯電、露光装置３による像露光及び現像装置４による現像で感光体１上にトナー像が形成される。形成されたトナー像は転写装置５により記録紙に転写される。トナー像が転写された記録紙は定着器８において定着処理された後に排紙皿１３に排紙される。
【００３６】
図１に示した定着器８について、図２は正面断面図を、図３は上面断面図を、図４は背面断面図をそれぞれ示している。８１ａはランプ発熱体で，８１はランプ発熱体８１ａを内包し、該発熱体により加熱される円筒状の加熱ローラ８１と、加熱ローラ８１に圧接する弾性層を有した加圧ローラ８２とから成り、筐体８０内に収められている。搬送ベルト１２によって搬送されるトナー画像を保持した転写紙は、加熱ローラ８１と加圧ローラ８２との間で加熱加圧されて定着がなされ、１対の排出ローラ８４によって定着器８外へと排出される。なお、加熱ローラ８１と加圧ローラ８２とに挟持搬送された転写紙が加熱ローラ８１又は加圧ローラ８２に巻き付くのを防止するため、排出部には分離爪８３ａ，８３ｂが設けられている。また、加熱ローラ８１ではトナー付着等によって汚染されているローラ表面をクリーニングするため、ウェブをもってローラ表面を摺擦するローラ清掃部８４が設けられている。
【００３７】
定着器８は、ジャム時には搬送不良となって定着器８内に滞留する転写紙の取り出し処理を容易にするため、図１に示す定着器８は紙面手前側に引き出される構成となっていて、更に図５に示すように筐体８０の一部は開閉可能としたジャム処理開閉部８０ａとなっていて、ジャム処理開閉部８０ａを開放してジャム処理が行われる構成となっている。
【００３８】
本発明は、大幅サイズと小幅サイズの転写紙を選択的に用いてプリントがなされる画像形成装置で、小幅サイズの転写紙を用いて連続プリントを行うときは、加熱ローラ８１の両側の小幅サイズ転写紙が通紙しない非通紙域は定着時に熱が転写紙に奪われないで過熱状態となるため、非通紙域に対して冷風を吹き付けて冷却する冷却手段が設けせれている。図示した画像形成装置では外部からの冷気を吸い込み加熱ローラ８１の非通紙域に吹き付ける空気流をガイドする吸気ダクト９２と、吹き付けられた空気流をガイドとして装置外部へと排出する排気ダクト９７とが設けられていて、図２〜図４には冷却手段９による空気流を矢示をもって表示している。
【００３９】
本実施例においては図２に示すように装置本体側面に吸気口９１が設けられ、吸気口９１に面して設けられた吸気ファン９３によって吸気された空気流は本体側吸気ダクト９２ａによって導かれ、本体側吸気ダクト９２ａによって導かれた吸気は、定着器側のジャム処理器開閉部８０ａに設けた定着器側吸気ダクト９７ｂに接統される。定着器側吸気ダクト９７ｂによって導かれた吸気は図３に示す分岐ガイド９２ｃによって分岐され、加熱ローラ８１の中央位置から両側へそれぞれ１１０ｍｍの位置より端部までの間（非通紙域）に対して空気流を吹き付ける吹き付け口９２ｄが設けられていて、吸気ファン９３で吸い込んだ冷気は加熱ローラ８１の両端部の非通紙域を冷却する。
【００４０】
加熱ローラ８１の表面温度は、中央部近くの通紙域温度を非接触で検知する通紙部温度検知センサＳ（Ｃ）と、ローラ両端近くの非通紙部温度を非接触で検知する非通紙部温度検知センサＳ（Ｓ）によつて温度検知がなされる。これらの温度検知温度センサＳ（Ｃ）、Ｓ（Ｓ）は加熱ローラ８１の画像形成部側に設けられていて、吹き付け口９２ｄはローラ清掃部８４を挟んで加熱ローラ８１の対面側の画像形成装置部とは反対側に設けられている。
【００４１】
加熱ローラ８１の両側の非通紙域を冷却し温度上昇した排気は、ジャム処理開閉部８０ａに取り付けられた定着器側排気ダクト９７ｂによって吸い込まれ、吸い込まれたローラ両側の排気は背面側に合流し、装置本体の背面に向けて設けられた本体側排気ダクト９７ａに接続する。本体側排気ダクト９７ａの排気路には排気ファン９５が設けられていて、装置背面に設けた排気口９６から排気される。
【００４２】
上記に説明した冷却手段９は、吸気ファン９３と排気ファン９５とをモータ回転して加熱ローラ８１の非通紙域が加熱状態となるのを防止している。図６には定着器８の温度制御を行う電気制御系の概要を示している。１０１は演算制御処理を行うＣＰＵで、温度制御プログラムや設定温度を記憶したＲＯＭ１０２が接続されていて、ＣＰＵ１０１インターフェース１１０を介して外部機器に接続されている。インターフェース１１０の入力側には通紙部温度検知センサＳ（Ｃ）、非通紙部温度検知センサＳ（Ｓ）と、プリントに当って大幅サイズの転写紙にプリントを行うか、小幅サイズの転写紙にプリントを行うか、プリントに先立って選択される紙サイズ選択手段２０Ａが接続され、インターフェース１１０の出力側には、ランプ発熱体８１ａ、冷却手段９の吸気ファンモータＭ（９３）、排気ファンモータＭ（９５）が接続されている。
【００４３】
本実施形態の定着器８の温度制御は、画像形成時にはＣＰＵ１０１ランプ発熱体８１のＯＮ／ＯＦＦ制御を行い、通紙部温度検知センサＳ（Ｃ）による検知温度がトナー像の定着を行うのに適当とするＲＯＭ１０２に記録されたｔ（０）±αの温度範囲内にあるように制御がなされる。また上記の制御に併せてＣＰＵ１０１は非通紙部温度検知センサＳ（Ｓ）の温度検知を行い、検知温度がｔ（０）＋α以上と検知したときは吸気ファンモータＭ（９３）及び排気ファンモータＭ（９５）をＯＮとして、非通紙部温度検知センサＳ（Ｓ）による検知温度がｔ（０）±αの範囲内にあるように制御を行う。かかる制御を行うことによって、転写紙サイズが大幅サイズであるか小幅サイズであるかに関係なく良好な定着が行われることとなる。
【００４４】
次に他の本実施形態の定着器８の温度制御について説明する。本実施形態においても定着器８の温度制御は、画像形成時にはＣＰＵ１０１はランプ発熱体８１のＯＮ／ＯＦＦ制御を行い、通紙部温度検知センサＳ（Ｃ）による検知温度がトナー像の定着を行うのに適当とするＲＯＭ１０２に記録されたｔ（０）±αの温度範囲内にあるように制御がなされる。そして上記の制御に併せてＣＰＵ１０１は装置本体の操作台に設けられた紙サイズ選択手段２０Ａが小幅サイズの転写紙をプリント用紙として選択したプリントモード時には、制御部ＣＰＵ１０１は吸気ファンモータＭ（９３）及び吸気ファンモータＭ（９５）をＯＮとして、非通紙部温度検知センサＳ（Ｓ）による検知温度がｔ（０）±αの範囲内にあるように制御を行う。かかる制御を行うことによって、転写紙サイズが大幅サイズであるか小幅サイズであるかに関係なく良好な定着が行われることとなる。
【図面の簡単な説明】
【００４５】
【図１】画像形成装置の全体構成を示す模式図。
【図２】定着器の正面断面図。
【図３】定着器の上面断面図。
【図４】定着器の背面断面図。
【図５】開放状態の定着器の正面断面図。
【図６】電気制御系の概要図。
【符号の説明】
【００４６】
８  定着器
８０  筐体
８０ａ  ジャム処理開閉部
８１  加熱ローラ
８１ａ  ランプ発熱体
８２  加圧ローラ
９  冷却手段
９１  吸気口
９２ａ  本体側吸気ダクト
９２ｂ  定着器側吸気ダクト
９３  吸気ファン
９５  排気ファン
９６  排気口
９７ａ  本体側排気ダクト
９７ｂ  定着器排気ダクト
Ｓ（Ｃ）  通紙部温度検知センサ
Ｓ（Ｓ）  非通紙部温度検知センサ
【図１】
2005077792.tif 000003
【図２】
2005077792.tif 000004
【図３】
2005077792.tif 000005
【図４】
2005077792.tif 000006
【図５】
2005077792.tif 000007
【図６】
2005077792.tif 000008